(57)【要約】それぞれのユーザにあったブラジャーを効率良く生産することができるブラジャー生産管理システムを提供する。本発明に係るブラジャー生産管理システム１０は、ユーザのアンダーサイズ、バージスサイズ及びバストボリュームについての情報を格納するユーザ情報ＤＢ１１と、それぞれのアンダーサイズ、バージスサイズ及びバストボリュームにフィットするブラジャーを特定するための製品ＩＤを格納した製品情報テーブル１２と、ユーザＩＤを含んだ注文情報を入力する注文情報入力手段２１と、注文情報入力手段２１によって入力された注文情報に基づいて、注文者であるユーザの情報をユーザ情報ＤＢ１１から抽出するユーザ情報抽出手段２２と、抽出されたユーザ情報と製品情報テーブル１２に格納された製品情報に基づいて生産するブラジャーを決定し、当該ブラジャーの製品ＩＤを出力する製品決定手段２３とを備える。
2002061648.tif 000002
【特許請求の範囲】
【請求項１】
ユーザのアンダーサイズ及びバージスサイズについての情報をユーザ情報として格納するユーザ情報格納手段と、
それぞれのアンダーサイズ及びバージスサイズにフィットするファンデーション下着を特定するための製品識別子を格納した製品情報テーブルと、
注文者であるユーザを特定するためのユーザ識別子を含む、ファンデーション下着の注文情報を入力する注文情報入力手段と、
前記注文情報入力手段によって入力された注文情報に含まれるユーザ識別子によって特定されるユーザのユーザ情報をユーザ情報格納手段から抽出するユーザ情報抽出手段と、
前記ユーザ情報抽出手段によって抽出されたユーザ情報と前記製品情報テーブルに格納された製品情報に基づいて生産するファンデーション下着を決定し、当該ファンデーション下着の製品識別子を出力する製品決定手段と、
を備えることを特徴とするカップ部を有するファンデーション下着生産管理システム。
【請求項２】
前記ユーザ情報格納手段には、ユーザ情報としてユーザのバストボリュームについての情報がさらに格納され、
前記製品情報テーブルには、それぞれのアンダーサイズ及びバージスサイズ及びバストボリュームにフィットするファンデーション下着を特定する製品識別子が格納されている、
ことを特徴とする請求項１に記載のカップ部を有するファンデーション下着生産管理システム。
【請求項３】
前記製品識別子によって識別されるファンデーション下着を構成する材料についての情報を格納した材料情報テーブルと、
前記製品決定手段から出力された製品識別子によって特定されるファンデーション下着を構成する材料についての情報を材料情報テーブルから抽出し、抽出された材料の情報に基づいてファンデーション下着の生産指示書を作成する生産指示書作成手段と、
前記生産指示書作成手段によって作成された生産指示書を出力する生産指示書出力手段と、
をさらに備えることを特徴とする請求項１又は２に記載のカップ部を有するファンデーション下着生産管理システム。
【請求項４】
前記材料情報テーブルに含まれる材料の情報は、ファンデーション下着を構成する、部材及び少なくとも一の部材から生産されるパーツの情報であることを特徴とする請求項３に記載のファンデーション下着生産管理システム。
【請求項５】
前記生産指示書作成手段は、前記材料情報テーブルから抽出された材料の情報を列挙し、当該材料の組み立てを指示する生産指示書を作成することを特徴とする請求項３又は４に記載のカップ部を有するファンデーション下着生産管理システム。
【請求項６】
前記各材料の在庫情報を格納した在庫情報格納手段をさらに備え、
前記生産指示書作成手段は、前記在庫情報格納手段を参照し、在庫が存在しない材料については当該材料の生産指示を生産指示書に含めることを特徴とする請求項３〜５のいずれか一項に記載のカップ部を有するファンデーション下着生産管理システム。
【請求項７】
前記生産指示書作成手段は、前記注文情報に含まれるユーザ識別子によって特定されるユーザに関する情報を前記生産指示書に含めることを特徴とする請求項３〜６のいずれか一項に記載のカップ部を有するファンデーション下着生産管理システム。
【請求項８】
前記注文情報入力手段とネットワークによって接続された注文端末をさらに備え、
前記注文情報を前記注文端末から前記注文情報入力手段に送信して入力させることを特徴とする請求項１〜７のいずれか一項に記載のカップ部を有するファンデーション下着生産管理システム。
【請求項９】
それぞれのアンダーサイズ及びバージスサイズにフィットするファンデーション下着を特定するための製品識別子を製品情報テーブルに格納させておき、
ユーザのアンダーサイズ及びバージスサイズについての情報をユーザ情報としてユーザ情報格納手段に格納するユーザ情報格納ステップと、
注文者であるユーザを特定するためのユーザ識別子を含む、ファンデーション下着の注文情報を入力する注文情報入力ステップと、
前記注文情報入力ステップにおいて入力された注文情報に含まれるユーザ識別子によって特定されるユーザのユーザ情報をユーザ情報格納手段から抽出するユーザ情報抽出ステップと、
前記ユーザ情報抽出ステップにおいて抽出されたユーザ情報と前記製品情報テーブルに格納された製品情報に基づいて生産するファンデーション下着を決定し、当該ファンデーション下着の製品識別子を出力する製品決定ステップと、
を備えることを特徴とするカップ部を有するファンデーション下着生産管理方法。
【請求項１０】
前記製品情報テーブルには、それぞれのアンダーサイズ及びバージスサイズ及びバストボリュームにフィットするファンデーション下着を特定する製品識別子を格納させておき、
前記ユーザ情報格納ステップにおいて、ユーザ情報としてユーザのバストボリュームについての情報をさらに格納する、
ことを特徴とする請求項９に記載のカップ部を有するファンデーション下着生産管理方法。
【請求項１１】
前記製品識別子によって識別されるファンデーション下着を構成する材料についての情報を材料情報テーブルに格納させておき、
前記製品決定ステップにおいて出力された製品識別子によって特定されるファンデーション下着を構成する材料についての情報を材料情報テーブルから抽出し、抽出された材料の情報に基づいてファンデーション下着の生産指示書を作成する生産指示書作成ステップと、
前記生産指示書作成ステップにおいて作成された生産指示書を出力する生産指示書出力ステップと、
をさらに備えることを特徴とする請求項９又は１０に記載のカップ部を有するファンデーション下着生産管理方法。
【請求項１２】
前記材料情報テーブルに含まれる材料の情報は、ファンデーション下着を構成する、部材及び少なくとも一の部材から生産されるパーツの情報であることを特徴とする請求項１１に記載のファンデーション下着生産管理方法。
【請求項１３】
前記生産指示書作成ステップは、前記材料情報テーブルから抽出された材料の情報を列挙し、当該材料の組み立てを指示する生産指示書を作成することを特徴とする請求項１１又は１２に記載のカップ部を有するファンデーション下着生産管理方法。
【請求項１４】
前記各材料の在庫情報を在庫情報格納手段に格納させておき、
前記生産指示書作成ステップは、前記在庫情報格納手段を参照し、在庫が存在しない材料については当該材料の生産指示を生産指示書に含めることを特徴とする請求項１１〜１３のいずれか一項に記載のカップ部を有するファンデーション下着生産管理方法。
【請求項１５】
前記生産指示書作成ステップは、前記注文情報に含まれるユーザ識別子によって特定されるユーザに関する情報を前記生産指示書に含めることを特徴とする請求項１１〜１４のいずれか一項に記載のカップ部を有するファンデーション下着生産管理方法。
【請求項１６】
カップ部を有するファンデーション下着の生産管理をするために、コンピュータを、
ユーザのアンダーサイズ及びバージスサイズについての情報をユーザ情報として格納するユーザ情報格納手段、
それぞれのアンダーサイズ及びバージスサイズにフィットするファンデーション下着を特定するための製品識別子を含む製品識別情報を格納した製品情報格納手段、
注文者であるユーザを特定するためのユーザ識別子を含む、ファンデーション下着の注文情報を入力する注文情報入力手段、
前記注文情報入力手段によって入力された注文情報に含まれるユーザ識別子によって特定されるユーザのユーザ情報をユーザ情報格納手段から抽出するユーザ情報抽出手段、
前記ユーザ情報抽出手段によって抽出されたユーザ情報と前記製品情報テーブルに格納された製品情報に基づいて生産するファンデーション下着を決定し、当該ファンデーション下着の製品識別子を出力する製品決定手段、
として機能させるプログラムを記録したコンピュータ読み取り可能な記録媒体。
【発明の詳細な説明】
技術分野
本発明は、ユーザからの注文によって、カップ部を有するファンデーション下着を生産する場合に、その生産管理を行なうカップ部を有するファンデーション下着生産管理システム、カップ部を有するファンデーション下着生産管理方法、及び記録媒体に関する。
背景技術
一般的にブラジャーなどカップ部を有するファンデーション下着は工業的に大量生産される既製品であり、そのサイズはカップサイズ（トップバストとアンダーバストとの周計の差）とアンダーサイズとの組み合わせによって決定される。このため、実際のバストの形や高さといった本来的要素が反映されておらず、既製品のブラジャーのサイズが等しい女性が同じブラジャーを着けても、合う場合と合わない場合があった。
発明の開示
このような不都合を防ぐため、あらかじめバストのサイズや形を計測して、個々人にあったファンデーション下着をオーダーメイドする方法もあるが、いちいちバストのサイズ等を計測して、それに合うようなファンデーション下着をデザインし、生産することは生産効率が悪く、困難である。
そこで、本発明は上記課題を解決し、それぞれのユーザにあったサイズのファンデーション下着を効率良く生産することができるカップ部を有するファンデーション下着生産管理システム、カップ部を有するファンデーション下着生産管理方法及び記録媒体を提供することを目的とする。
本発明に係るカップ部を有するファンデーション下着生産管理システムは、ユーザのアンダーサイズ及びバージスサイズについての情報をユーザ情報として格納するユーザ情報格納手段と、それぞれのアンダーサイズ及びバージスサイズにフィットするファンデーション下着を特定するための製品識別子を格納した製品情報テーブルと、注文者であるユーザを特定するためのユーザ識別子を含む、ファンデーション下着の注文情報を入力する注文情報入力手段と、注文情報入力手段によって入力された注文情報に含まれるユーザ識別子によって特定されるユーザのユーザ情報をユーザ情報格納手段から抽出するユーザ情報抽出手段と、ユーザ情報抽出手段によって抽出されたユーザ情報と製品情報テーブルに格納された製品情報に基づいて生産するファンデーション下着を決定し、当該ファンデーション下着の製品識別子を出力する製品決定手段と、を備えることを特徴とする。
このように本発明に係るカップ部を有するファンデーション下着生産管理システムは、ユーザのアンダーサイズ及びバージスサイズについての情報を格納したユーザ情報格納手段を有しているので、ユーザ情報格納手段に格納された情報に基づいてそれぞれのユーザにあったファンデーション下着を生産することができる。ここで、「アンダーサイズ」とはバスト下縁部のからだの周計であり、「バージスサイズ」とはバストの下縁の輪郭である。また、本発明に係るカップ部を有するファンデーション下着生産管理システムは、それぞれのアンダーサイズ及びバージスサイズにフィットするファンデーション下着を特定する製品識別子を格納した製品情報テーブルを有しているので、製品決定手段は、ユーザのアンダーサイズ及びバージスサイズに基づいて、当該ユーザ用に生産すべきファンデーション下着を決定することができる。なお、「カップ部を有するファンデーション下着」としては、ブラジャー、ボディスーツ、ブラスリップ、ブラキャミソールなどが該当する。
上記のカップ部を有するファンデーション下着生産管理システムにおいて、ユーザ情報格納手段には、ユーザ情報としてユーザのバストボリュームについての情報がさらに格納され、製品情報テーブルには、それぞれのアンダーサイズ及びバージスサイズ及びバストボリュームにフィットするファンデーション下着を特定する製品識別子が格納されていることを特徴としても良い。
このようにユーザ情報格納手段にユーザのバストボリュームについての情報を格納させ、製品情報テーブルは、それぞれのアンダーサイズ及びバージスサイズ及びバストボリュームにフィットするファンデーション下着を特定する製品識別子を格納しているので、ユーザにフィットするファンデーション下着をより精度良く決定することができる。ここで、「バストボリューム」とはバストの容積である。
上記のカップ部を有するファンデーション下着生産管理システムは、製品識別子によって識別されるファンデーション下着を構成する材料についての情報を格納した材料情報テーブルと、製品決定手段から出力された製品識別子によって特定されるファンデーション下着を構成する材料についての情報を材料情報テーブルから抽出し、抽出された材料の情報に基づいてファンデーション下着の生産指示書を作成する生産指示書作成手段と、生産指示書作成手段によって作成された生産指示書を出力する生産指示書出力手段と、をさらに備えることを特徴としても良い。
このように、それぞれのファンデーション下着を構成する材料についての情報を格納した材料情報テーブルを有しているので、それぞれのファンデーション下着の生産に必要な材料の情報を抽出することができる。また、生産指示書作成手段によって、ファンデーション下着を生産するための指示書を作成しているので、作成された生産指示書を生産現場に送付又は送信することにより、容易にファンデーション下着の生産指示を行なうことができる。
上記のカップ部を有するファンデーション下着生産管理システムにおいて、材料情報テーブルに含まれる材料の情報は、ファンデーション下着を構成する、部材及び少なくとも一の部材から生産されるパーツの情報であることを特徴としても良い。
このように材料情報テーブルに部材とパーツの情報を格納させておくことにより、ファンデーション下着の材料となる部材及びパーツを一括管理することができる。本発明の生産管理システムにおいては、注文情報が入力された後にファンデーション下着の生産を開始するため、生産現場における業務量は一定ではなく、注文量に依存する。注文情報の入力が少ない期間には中間製品であるパーツを生産し、このパーツを材料情報テーブルによって管理することにより、生産現場における業務の平準化を行えると共に、注文の多い期間の生産リードタイムの短縮を図ることができる。なお、中間製品である「パーツ」とは、部材から生産されるファンデーション下着の構成単位であり、例えば、着用時にバストに当接するカップ部や背中に当接するバック部等がある。カップ部は、通常２〜３枚の布（部材）を縫合することによって、丸みのある立体形状に作られたものである。バック部は、鳩目環と呼ばれる雄雌環の対をそれぞれ取り付けた２枚の布がバック布に縫合されて作られたものである。また、「部材」にはワイヤー、ストラップ、折りラベル等が含まれる。
上記のカップ部を有するファンデーション下着生産管理システムにおいて、生産指示書作成手段は、材料情報テーブルから抽出された材料の情報を列挙し、当該材料の組み立てを指示する生産指示書を作成することを特徴としても良い。
このようにファンデーション下着を構成する材料を列挙することにより、現場の作業員は、それぞれのサイズのファンデーション下着の生産に必要な部材とパーツとを容易にピックアップすることができる。
上記のカップ部を有するファンデーション下着生産管理システムは、各材料の在庫情報を格納した在庫情報格納手段をさらに備え、生産指示書作成手段は、在庫情報格納手段を参照し、在庫が存在しない材料については当該材料の生産指示を生産指示書に含めることを特徴としても良い。
このように在庫の存在しない材料の生産指示を生産指示書に含めることにより、現場の作業員は在庫切れの材料の生産に円滑に取り掛かることができる。
上記のカップ部を有するファンデーション下着生産管理システムにおいて、生産指示書作成手段は、注文情報に含まれるユーザ識別子によって特定されるユーザに関する情報を生産指示書に含めることを特徴としても良い。
このようにファンデーション下着を注文したユーザに関する情報を生産指示書に含めることにより、完成したファンデーション下着を配送する先を生産指示書の情報によって確認でき、ファンデーション下着の生産に続いて、配送作業に円滑に移行することができる。
上記のカップ部を有するファンデーション下着生産管理システムは、注文情報入力手段とネットワークによって接続された注文端末をさらに備え、注文情報を注文端末から注文情報入力手段に送信して入力させることを特徴としても良い。
このように注文情報入力手段とネットワークによって接続された注文端末を備えることにより、遠隔からファンデーション下着の注文を行なうことができる。ネットワークがインターネットであり、注文端末がインターネットにアクセスできるＰＣである場合には、ユーザは自宅等から手軽にファンデーション下着の注文を行なうことが可能となる。
本発明に係るカップ部を有するファンデーション下着生産管理方法は、それぞれのアンダーサイズ及びバージスサイズにフィットするファンデーション下着を特定するための製品識別子を製品情報テーブルに格納させておき、ユーザのアンダーサイズ及びバージスサイズについての情報をユーザ情報としてユーザ情報格納手段に格納するユーザ情報格納ステップと、注文者であるユーザを特定するためのユーザ識別子を含む、ファンデーション下着の注文情報を入力する注文情報入力ステップと、注文情報入力ステップにおいて入力された注文情報に含まれるユーザ識別子によって特定されるユーザのユーザ情報をユーザ情報格納手段から抽出するユーザ情報抽出ステップと、ユーザ情報抽出ステップにおいて抽出されたユーザ情報と製品情報テーブルに格納された製品情報に基づいて生産するファンデーション下着を決定し、当該ファンデーション下着の製品識別子を出力する製品決定ステップと、を備えることを特徴とする。
このように本発明に係るカップ部を有するファンデーション下着生産管理方法は、ユーザのアンダーサイズ及びバージスサイズについての情報をユーザ情報格納手段に格納させているので、ユーザ情報格納手段に格納された情報に基づいてそれぞれのユーザにあったファンデーション下着を生産することができる。また、本発明に係るカップ部を有するファンデーション下着生産管理方法は、それぞれのアンダーサイズ及びバージスサイズにフィットするファンデーション下着を特定する製品識別子を製品情報テーブルに格納させているので、製品決定ステップにおいて、ユーザのアンダーサイズ及びバージスサイズに基づいて、当該ユーザ用に生産すべきファンデーション下着を決定することができる。
上記のカップ部を有するファンデーション下着生産管理方法において、製品情報テーブルには、それぞれのアンダーサイズ及びバージスサイズ及びバストボリュームにフィットするファンデーション下着を特定する製品識別子を格納させておき、ユーザ情報格納ステップにおいて、ユーザ情報としてユーザのバストボリュームについての情報をさらに格納することを特徴としても良い。
このようにユーザ情報格納手段にユーザのバストボリュームについての情報を格納させ、製品情報テーブルは、それぞれのアンダーサイズ及びバージスサイズ及びバストボリュームにフィットするファンデーション下着を特定する製品識別子を格納しているので、製品決定ステップにおいて、ユーザにフィットするファンデーション下着をより精度良く決定することができる。
上記のカップ部を有するファンデーション下着生産管理方法は、製品識別子によって識別されるファンデーション下着を構成する材料についての情報を材料情報テーブルに格納させておき、製品決定ステップにおいて出力された製品識別子によって特定されるファンデーション下着を構成する材料についての情報を材料情報テーブルから抽出し、抽出された材料の情報に基づいてファンデーション下着の生産指示書を作成する生産指示書作成ステップと、生産指示書作成ステップにおいて作成された生産指示書を出力する生産指示書出力ステップと、をさらに備えることを特徴としても良い。
このように、それぞれのファンデーション下着を構成する材料についての情報を材料情報テーブルに格納させているので、生産指示書作成ステップでは、それぞれのファンデーション下着の生産に必要な材料の情報を抽出することができる。また、生産指示書作成ステップにおいて、ファンデーション下着を生産するための指示書を作成しているので、作成された生産指示書を生産現場に送付又は送信することにより、容易にファンデーション下着の生産指示を行なうことができる。
上記のカップ部を有するファンデーション下着生産管理方法において、材料情報テーブルに含まれる材料の情報は、ファンデーション下着を構成する、部材及び少なくとも一の部材から生産されるパーツの情報であることを特徴としても良い。
このように材料情報テーブルに部材とパーツの情報を格納させておくことにより、ファンデーション下着の材料となる部材及びパーツを一括管理することができる。本発明の生産管理方法においては、注文情報が入力された後にファンデーション下着の生産を開始するため、生産現場における業務量は一定ではなく、注文量に依存する。注文情報の入力が少ない期間には中間製品であるパーツを生産し、このパーツを材料情報テーブルによって管理することにより、生産現場における業務の平準化を行えると共に、注文の多い期間の生産リードタイムの短縮を図ることができる。
上記のカップ部を有するファンデーション下着生産管理方法において、生産指示書作成ステップは、材料情報テーブルから抽出された材料の情報を列挙し、当該材料の組み立てを指示する生産指示書を作成することを特徴としても良い。
このようにファンデーション下着を構成する材料を列挙することにより、現場の作業員は、それぞれのサイズのファンデーション下着の生産に必要な部材と材料とを容易にピックアップすることができる。
上記のカップ部を有するファンデーション下着生産管理方法は、各材料の在庫情報を在庫情報格納手段に格納させておき、生産指示書作成ステップは、在庫情報格納手段を参照し、在庫が存在しない材料については当該材料の生産指示を生産指示書に含めることを特徴としても良い。
このように在庫の存在しない材料の生産指示を生産指示書に含めることにより、現場の作業員は在庫切れの材料の生産に円滑に取り掛かることができる。
上記のカップ部を有するファンデーション下着生産管理方法において、生産指示書作成ステップは、注文情報に含まれるユーザ識別子によって特定されるユーザに関する情報を生産指示書に含めることを特徴としても良い。
このようにファンデーション下着を注文したユーザに関する情報を生産指示書に含めることにより、完成したファンデーション下着を配送する先を生産指示書の情報によって確認でき、ファンデーション下着の生産に続いて、配送作業に円滑に移行することができる。
本発明に係るコンピュータ読み取り可能な記録媒体は、カップ部を有するファンデーション下着の生産管理をするために、コンピュータを、ユーザのアンダーサイズ及びバージスサイズについての情報をユーザ情報として格納するユーザ情報格納手段、それぞれのアンダーサイズ及びバージスサイズにフィットするファンデーション下着を特定するための製品識別子を含む製品識別情報を格納した製品情報格納手段、注文者であるユーザを特定するためのユーザ識別子を含む、ファンデーション下着の注文情報を入力する注文情報入力手段、前記注文情報入力手段によって入力された注文情報に含まれるユーザ識別子によって特定されるユーザのユーザ情報をユーザ情報格納手段から抽出するユーザ情報抽出手段、前記ユーザ情報抽出手段によって抽出されたユーザ情報と前記製品情報テーブルに格納された製品情報に基づいて生産するファンデーション下着を決定し、当該ファンデーション下着の製品識別子を出力する製品決定手段、として機能させるプログラムを記録していることを特徴とする。
このように本発明に係る記録媒体をコンピュータによって読み取ってプログラムを実行させることにより、コンピュータをユーザのアンダーサイズ及びバージスサイズについての情報を格納するユーザ情報格納手段として機能させ、ユーザ情報格納手段に格納された情報に基づいてそれぞれのユーザにあったファンデーション下着を生産することができる。また、本発明に係る記録媒体をコンピュータによって読み取ってプログラムを実行させることにより、コンピュータにそれぞれのアンダーサイズ及びバージスサイズにフィットするファンデーション下着を特定する製品識別子を格納させ、ユーザのアンダーサイズ及びバージスサイズに基づいて、それぞれのユーザ用に生産すべきファンデーション下着を決定することができる。
発明を実施するための最良の形態
以下、図面と共に本発明に係るカップ部を有するファンデーション下着生産管理システムの好適な実施形態について詳細に説明する。実施形態においては、カップ部を有するファンデーション下着の例としてブラジャーを取り上げ、ブラジャー生産管理システムについて説明する。なお、図面の説明においては同一要素には同一符号を付し、重複する説明を省略する。
図１は、実施形態に係るブラジャー生産管理システム１０の構成を示すブロック図である。ブラジャー生産管理システム１０は、ユーザのバストに関する情報を格納したユーザ情報データベース（以下、「ユーザ情報ＤＢ」という）１１と、それぞれのアンダーサイズ、バージスサイズ及びバストボリュームにフィットするブラジャーの製品識別子を格納した製品情報テーブル１２と、それぞれのブラジャーを構成する材料の情報を格納した材料情報テーブル１３と、それぞれの材料の在庫情報を格納した在庫情報データベース（以下、「在庫情報ＤＢ」という）１４とを備えている。また、ブラジャー生産管理システム１０は、注文情報を入力する注文情報入力手段２１と、注文者であるユーザのユーザ情報をユーザ情報ＤＢ１１から抽出するユーザ情報抽出手段２２と、抽出されたユーザ情報に基づいてそのユーザにフィットするブラジャーを決定する製品決定手段２３と、決定されたブラジャーを生産するための生産指示書を作成する生産指示書作成手段２４と、作成された生産指示書を出力する生産指示書出力手段２５とを備えている。また、注文情報入力手段２１には、ネットワーク４０を介して注文端末３０が接続されている。
次に、ブラジャー生産管理システム１０を構成する各要素について順に説明する。
ユーザ情報ＤＢ１１は、ユーザのアンダーサイズ、バージスサイズ及びバストボリュームについての情報を格納するデータベースである。図２は、ユーザ情報ＤＢ１１に格納されたデータの例を示す図である。図２に示すようにユーザ情報ＤＢ１１には、「ユーザＩＤ」「アンダーサイズ」「バージスサイズ」「バストボリューム」「計測日」の各情報が格納されている。「ユーザＩＤ」は、ユーザを特定するための識別子である。「アンダーサイズ」「バージスサイズ」及び「バストボリューム」は、ユーザＩＤによって特定されるユーザのバストに関する情報である。これらの情報は、あらかじめ計測されて格納される。なお、バージスサイズ及びバストボリュームは実際に計測された数値ではなく、計測値として存在する範囲を複数のレンジに分割し、計測値が含まれるレンジに付与された値によって表されている。本実施形態においては、バージスサイズは０〜９の１０のレンジに、バストボリュームは１〜８の８のレンジに分割されている。「計測日」は、「アンダーサイズ」「バージスサイズ」及び「バストボリューム」を計測した日についての情報である。アンダーサイズ、バージスサイズなどの情報は、身体についての情報であるため普遍ではなく、年月の経過と共に変化するので、計測日を格納することとしている。本実施形態では、計測日において計測された身体の情報をユーザ情報ＤＢ１１に格納しているが、経時的に変化する身体情報の履歴を格納することとしても良い。なお、身体情報を履歴として格納するとユーザ情報ＤＢ１１のデータ量が増えるので、履歴情報は他の記録媒体に格納し、蓄積させることとしても良い。また、本実施形態では、ユーザ情報ＤＢ１１には、ユーザのバストに関する情報のみを格納することとしているが、ユーザの氏名、年齢、生年月日や住所等のユーザ属性に関する情報や下着の購入履歴をさらに格納することとしても良い。また、ユーザ属性に関する情報や購入履歴は他のデータベースに格納することとしても良い。
製品情報テーブル１２は、アンダーサイズ、バージスサイズ及びバストボリュームの値の組み合わせに関連付けて、フィットするブラジャーの製品識別子を格納したテーブルである。図３は、製品情報テーブル１２に格納されたデータの例を示す図である。製品情報テーブル１２には、「アンダーサイズ」「バージスサイズ」「バストボリューム」「製品ＩＤ」の各情報が格納されている。「製品ＩＤ」は、ブラジャーを特定する識別子である。本実施形態の製品情報テーブル１２においては、実質的に存在しないであろうアンダーサイズ、バージスサイズ及びバストボリュームの組み合わせについては規定していない。例えば、アンダーサイズが６７ｃｍでバージスサイズが２である人については、バストボリュームが６より大きい数値は統計的に見てほぼ出現しないので、アンダーサイズ６７ｃｍとバージスサイズ２とバストボリューム６以上の組み合わせについては規定していない。このように実質的に存在しないであろう組み合わせについて規定しないことにより、製品の種類を必要量に抑制することができる。
材料情報テーブル１３は、それぞれのブラジャーを構成する材料についての情報を格納したテーブルである。図４は、材料情報テーブル１３に格納されたデータの例を示す図である。材料情報テーブル１３には、「製品ＩＤ」「カップ部」「ホック部」「テープ部」「ワイヤ」「ストラップ」の各情報が格納されている。「製品ＩＤ」は、ブラジャーの種類を特定するための情報である。「カップ部」「ホック部」「テープ部」は、ブラジャーを構成するパーツについての識別情報であり、「ワイヤ」「ストラップ」は、ブラジャーを構成する部材についての識別情報である。例えば、製品ＩＤ「Ｐ０１０１」のブラジャーは、カップ部「Ｃ１１」、ホック部「Ｈ１」、テープ部「Ｔ１」で特定されるそれぞれのパーツ、及びワイヤ「Ｙ１」、ストラップ「Ｓ１」で特定されるそれぞれの部材によって構成されていることが分かる。本実施形態の材料情報テーブル１３においては、ブラジャーを構成する材料として、カップ部、ホック部及びテープ部等の情報を格納しているが、この他にもリボンやビーズ等についての情報を格納することとしても良い。
在庫情報ＤＢ１４は、材料の在庫状況に関する情報を格納したデータベースである。図５Ａ及び図５Ｂは、在庫情報ＤＢ１４に格納されたデータの例を示す図である。図５Ａはカップ部についての在庫情報、図５Ｂはホック部についての在庫情報を示す例である。図５Ａ及び図５Ｂに示すように、在庫情報ＤＢ１４には、「材料ＩＤ」「在庫」の各情報が格納されている。「材料ＩＤ」は材料を特定する識別子、「在庫」は材料ＩＤによって特定される材料の在庫数を示す情報である。図５Ａ及び図５Ｂを参照すると、カップ部の在庫はホック部の在庫に比べて少ないが、これは、カップ部はブラジャーのサイズに影響を受けやすい部分であるのに対し、ホック部はブラジャーのサイズに対する影響はほとんどなく、どのブラジャーに対しても適用できるという材料の性質の相違に起因するものである。
注文情報入力手段２１は、ブラジャーの注文情報を入力させる機能を有する。本実施形態のように、注文情報入力手段２１が注文端末３０とネットワーク４０を介して接続されている場合には、注文端末３０から送信された注文情報を受信する受信手段としての機能をも有する。注文情報入力手段２１によって入力される注文情報には、注文者であるユーザのユーザＩＤや、所望のブラジャーの色や（品番によって特定される）デザイン等に関する情報が含まれる。
ユーザ情報抽出手段２２は、注文情報入力手段２１によって入力された注文情報に含まれるユーザＩＤに基づいて、ユーザ情報をユーザ情報ＤＢ１１から抽出する機能を有する。
製品決定手段２３は、ユーザ情報抽出手段２２によって抽出されたユーザ情報に基づいて、注文者であるユーザにフィットしたブラジャーを決定し、そのブラジャーの製品ＩＤを出力する機能を有する。具体的には、ユーザ情報抽出手段２２によってユーザ情報として抽出されたアンダーサイズ、バージスサイズ及びバストボリュームに基づいて、その組み合わせに対応するブラジャーの製品ＩＤを製品情報テーブル１２から抽出する。
生産指示書作成手段２４は、製品決定手段２３によって決定されて出力された製品ＩＤに基づいて、当該ブラジャーを生産するための生産指示書を作成する機能を有する。生産指示書作成手段２４は、材料情報テーブル１３からブラジャーを構成する材料の情報を抽出し、抽出された材料が在庫として存在するかを判定する。そして、抽出された材料が存在する場合には、それらの材料を列挙してブラジャーの組み立て指示をし、抽出された材料の一部（又は全部）が存在しない場合には、存在しない材料の生産指示を行なうと共に、存在する材料を列挙してブラジャーの組み立て指示をする。
生産指示書出力手段２５は、生産指示書作成手段２４によって作成された生産指示書を出力する機能を有する。より具体的には、生産指示書出力手段２５は、生産指示書を紙として印刷する。なお、生産指示書出力手段２５は、ブラジャーの生産現場に設置された端末に生産指示書のデータを送信し、その端末によって生産指示書を出力させることとしても良い。
次に、本実施形態に係るブラジャー生産管理システム１０の動作について説明し、併せて、本発明に係るカップ部を有するファンデーション下着生産管理方法の実施形態についてブラジャーの生産管理を例として説明する。
図６は、ブラジャー生産管理システム１０の動作を示すフローチャートである。まず、ブラジャー生産管理システム１０のユーザ情報ＤＢ１１にユーザ情報を入力する（Ｓ１０）。アンダーサイズは通常のメジャーによって計測できるが、バージスサイズ及びバストボリュームは専用の計測器具によって計測する必要があるため、ユーザはブラジャー生産管理システムの運用者が提供する計測設備に赴いて計測することになる。計測されたアンダーサイズ、バージスサイズ、及びバストボリュームは、ユーザ情報としてユーザ情報ＤＢ１１に格納される。ステップＳ１０は、ブラジャー生産管理システムを動作させるための準備段階である。また、ステップＳ１０においてユーザ情報を入力したユーザのみが、以下に説明する動作にしたがって、ブラジャー生産管理システム１０にブラジャーの注文情報を入力し、ブラジャーを生産させることができる。
続いて、ブラジャーの購入段階について説明する。最初に、ブラジャーの注文情報を入力する（Ｓ１２）。注文情報には、ユーザが購入を希望するブラジャーの品番や色のほか、注文者であるユーザを特定するためのユーザＩＤが含まれる。「品番」とは、カタログ等に記載されたブラジャーの種類を特定するための番号である。注文情報の入力は、ユーザから送付された申し込み用紙に記載された内容にしたがってオペレータが行なうこととしても良いし、ネットワーク４０を通じて注文端末３０から注文情報入力手段２１に注文情報を送信することによって入力することとしても良い。
注文情報入力手段２１によって注文情報が入力される（Ｓ１２）と、ユーザ情報抽出手段２２は、入力された注文情報に含まれるユーザＩＤに基づいて、注文者であるユーザのユーザ情報をユーザ情報ＤＢ１１から抽出する（Ｓ１４）。具体例として、ユーザＩＤ「Ｕ１００」のユーザの注文情報が入力されたとすると、ユーザ情報として抽出されるユーザ情報は、アンダーサイズが６７ｃｍ、バージスサイズが１、バストボリュームが２というユーザ情報が抽出される（図２参照）。
次に、製品決定手段２３は、ユーザ情報抽出手段２２によって抽出されたユーザ情報に基づいて、そのユーザにフィットするブラジャーを決定し、その製品番号を出力する（Ｓ１６）。上述の具体例では、図３に示す製品情報テーブル１２を参照すると、ユーザＩＤ「Ｕ１００」のユーザにフィットするブラジャーの製品ＩＤは「Ｐ０１１２」であることが決定される。なお、製品ＩＤと注文情報に含まれる品番とは異なるものであり、品番はブラジャーの形やデザイン等の種類を規定するものに対し、製品ＩＤは同じ種類のブラジャーのサイズやカップの形状等を規定するものである。
続いて、生産指示書作成手段２４は、決定された製品ＩＤによって特定されるブラジャーを生産するための生産指示書を作成する（Ｓ１８）。まず、生産指示書作成手段２４は、決定された製品ＩＤに係るブラジャーを構成する材料の情報を材料情報テーブル１３から抽出する。ここでは、製品ＩＤ「Ｐ０１１２」のブラジャーを構成する材料の材料ＩＤは、カップ部は「Ｃ２１」、ホック部は「Ｈ２」、テープ部は  「Ｔ２」、ワイヤは「Ｙ１」、ストラップは「Ｓ１」であることが抽出される（図４参照）。次に、生産指示書作成手段２４は、抽出された材料が在庫として存在するかを、在庫情報ＤＢ１４を参照することによって判定する。図５Ａに示す在庫情報ＤＢ１４を参照すると、材料ＩＤ「Ｃ２１」で特定されるカップ部の在庫は２個であり、図５Ｂに示す在庫情報ＤＢ１４を参照すると、材料ＩＤ「Ｈ２」で特定されるホック部の在庫は４１０個であるので、いずれも在庫が存在する。なお、テープ部、ワイヤ、ストラップについては、データベースの例を図示しないが在庫が存在するものとする。この際、在庫の材料はブラジャーの生産に引き当てられるので、在庫情報ＤＢ１４に格納された在庫の数を引き当てた分だけ減算する。以上のように製品ＩＤ「Ｐ０１１２」に係るブラジャーを構成する材料の在庫はいずれも存在するので、生産指示書作成手段２４は、材料を列挙してブラジャーの生産指示書を作成する。そして、生産指示書出力手段２５は、作成された生産指示書を出力する（Ｓ２０）。図７Ａは、出力された生産指示書の例を示す図である。図７Ａに示すように、生産指示書にはブラジャーを生産するための材料を特定するための情報が載せられている。ここで、「引当可否」は記載された材料ＩＤによって特定される材料が在庫によって引き当て可能か否か、すなわち在庫が存在するか否かを表す情報である。上述の具体例の場合は、いずれの材料も在庫が存在するので、図７Ａに示すように引当可否は「可」となっている。カップ部が材料ＩＤ「Ｃ２２」によって特定される材料である場合には在庫が存在しないので（図５Ａ参照）、図７Ｂに示すように引当可否は「不可」となる。引当可否が「不可」という情報は、当該材料が存在しないことを意味するので、その材料の生産指示を意味することとなる。また、生産指示書には、ブラジャーを注文したユーザの氏名、住所、電話番号が載せられている。このように、ユーザの氏名、住所等が載せられているので、生産指示書にしたがって生産された（組み立てられた）ブラジャーは、生産指示書に記載された住所に円滑に配送することができる。
ここで、生産指示書の使用の一態様について説明する。生産指示書は出力された後にブラジャーの生産現場に送付されるか、あるいは生産現場において出力される。生産現場では、作業員が生産指示書を一枚ずつ専用のトレーに入れる。そして、作業員は生産指示書に記載された材料をストック棚からピックアップしてトレーに入れる。これにより、トレーに材料を集めてブラジャーを生産するための材料セットを作ることができる。続いて、トレーに集められた材料セットをトレーごと縫製ラインに載せ、縫製ラインにおいてブラジャーを完成させる。その後、生産指示書に記載されたユーザの住所に完成したブラジャーを配送する。このように生産指示書を使用することによって、図７Ａに示す生産指示書を用いた円滑なブラジャーの生産及び配送を行なうことができる。
本実施形態に係るブラジャー生産管理システム１０は、ユーザ情報ＤＢ１１を有し、ユーザのアンダーサイズ、バージスサイズ及びバストボリュームについての情報を格納している。この情報を利用することにより、ユーザからブラジャーの注文があった際には、ユーザにフィットしたブラジャーを生産することができる。
また、ブラジャー生産管理システム１０は、製品情報テーブル１２を有し、それぞれのアンダーサイズ、バージスサイズ及びバストボリュームにフィットするブラジャーの情報を格納しているので、製品決定手段２３はユーザ情報に基づいて、当該ユーザにフィットしたブラジャーを円滑に決定することができる。
また、ブラジャー生産管理システム１０は、材料情報テーブル１３を有し、ブラジャーを構成する材料の情報を格納しているので、生産指示書作成手段２４は、ブラジャーを生産するために必要な材料の情報を抽出して、生産指示書を作成することができる。さらに、在庫情報ＤＢ１４を有し、各材料の在庫情報を有しているので、各材料を生産しなければならないか、または在庫で引き当てることができるかを生産指示書に記載することができる。ブラジャーの材料の種類は非常に多数存在するが、本実施形態のように在庫に関する情報を有することとすれば、多数の材料の中から必要な材料があるかないかを探す煩わしさがなくなる。そして、在庫として存在しない材料はすぐに生産されることとなるので、ブラジャーの生産効率が向上する。
また、実施形態に係るブラジャー生産管理方法は、あらかじめ、ユーザのアンダーサイズ、バージスサイズ及びバストボリュームに関するユーザ情報をユーザ情報ＤＢ１１に格納するので、格納されたユーザ情報に基づいてそれぞれのユーザにフィットするブラジャーを生産することができる。
また、ブラジャー生産管理方法は、上記ブラジャー生産管理システム１０と同様に、ブラジャーの生産効率を向上させるという効果がある。
最後に、本発明の実施形態にかかるコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
図８は、本発明の実施形態にかかる記録媒体６０の構成図である。記録媒体６０には下着の生産管理プログラムが記録されており、図８に示すようにプログラムを記録するプログラム領域６０ａとデータ領域６０ｂとを備えている。データ領域６０ｂには、アンダーサイズ及びバージスサイズにフィットするファンデーション下着を特定するための製品識別子を含む製品データ６５が格納されている。プログラム領域６０ａには、ユーザ情報をコンピュータに格納させるためのユーザ情報格納モジュール６１と、下着の注文情報を入力させるための注文情報入力モジュール６２と、入力された注文情報に含まれるユーザ識別子に基づいて、コンピュータにユーザ情報を抽出させるユーザ情報抽出モジュール６３と、抽出されたユーザ情報とデータ領域６０ｂに格納された製品データ６５とに基づいて製品を決定する製品決定モジュール６４と、を有している。ここで、ユーザ情報格納モジュール６１をコンピュータによって実行させることにより、コンピュータ内に上記ブラジャー生産管理システム１０のユーザ情報ＤＢ１１と同様のデータベースを構築することができる。また、注文情報入力モジュール６２、ユーザ情報抽出モジュール６３、及び製品決定モジュール６４を実行させて実現される機能は、上記ブラジャー生産管理システム１０の注文情報入力手段２１、ユーザ情報抽出手段２２、及び製品決定手段２３のそれぞれの機能と同じである。また、データ領域６０ｂに格納された製品データ６５は、上記ブラジャー生産管理システム１０の製品情報テーブル１２に相当するものである。
図９は、記録媒体６０に記録された下着の生産管理プログラムを実行するためのコンピュータ（例えばサーバシステム）のシステム構成図であり、図１０は、記録媒体６０に記録された下着の生産管理プログラムを実行するためのコンピュータの斜視図である。コンピュータ１００は、図９及び図１０に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信手段である通信ユニット１１２と、下着の生産管理プログラムの実行等を制御するＣＰＵ１１４とを備えている。ここで、記録媒体６０が読み取り装置１０２に挿入されると、記録媒体６０に記録された情報が読み取り装置１０２からアクセス可能となり、記録媒体６０のプログラム領域６０ａに記録された下着の生産管理プログラムが、コンピュータ１００によって実行可能となる。
上記読み取り装置１０２としては、記録媒体６０に対応して、フレキシブルディスクドライブ装置、ＣＤ−ＲＯＭドライブ装置、あるいは磁気テープドライブ装置などが用いられる。
本発明に係る記録媒体は、コンピュータに読み取らせて実行することにより、上述したブラジャー生産管理システム１０と同様に、ユーザにフィットしたブラジャー（下着）の生産を管理することができる。
以上、本発明の実施形態について詳細に説明してきたが、本発明は上記実施形態に限定されるものではない。
上記実施形態においては、ブラジャー生産管理システム１０は注文端末３０を有することとしているが、必ずしも注文端末３０は必要ではなく、ブラジャー生管理システム１０は、ネットワーク４０に接続しない構成とすることも可能である。
上記実施形態においては、ユーザ情報ＤＢ１１にバストボリュームの情報を格納し、製品情報テーブル１２はそれぞれのアンダーサイズ、バージスサイズ、及びバストボリュームにフィットするブラジャーの情報を格納しているが、バストボリュームに関する情報は、必ずしも必要ない。すなわち、ユーザ情報をして、アンダーサイズ及びバージスサイズを格納し、製品情報テーブル１２には、それぞれのアンダーサイズ及びバージスサイズにフィットするブラジャーの情報を格納することとしても良い。これにより、ブラジャー生産管理システム１０を簡易な構成で実現することができる。
上記実施形態においては、在庫として存在しない材料が必要となった場合には、当該在庫の生産指示を生産指示書に載せることとしているが、在庫が不足している場合には、あらかじめ不足在庫のリストを出力する不足在庫出力手段をさらに備えることとしても良い。このように不足在庫出力手段を備えることにより、在庫が存在しない状態を低減させることができ、ブラジャーの生産効率を高めることができる。さらに、不足在庫出力手段は、在庫の種類によって在庫不足であると判定する基準を変更することが好ましい。これは、例えば、ホック部のように複数の種類のブラジャーに共通して用いることができる材料については、在庫は余裕をもって確保しておくことが重要であるが、カップ部のように人によってサイズや形が異なる場合には、それぞれのタイプごとにはたくさんの在庫は必要ないばかりか、在庫が積みあがるおそれがあるからである。
また、人の体形は年月と共に変化するものであるので、ユーザ情報ＤＢ１１の計測日の情報に基づいて、計測日から一定期間が経過しているユーザに対して、再計測を促す再計測通知手段をさらに備えることとしても良い。このように再計測通知手段によって再計測を促し、ユーザ情報をアップデートしていくことによって、ユーザによりフィットしたブラジャーを提供することができる。
産業上の利用可能性
本発明によれば、ユーザのアンダーサイズ及びバージスサイズについての情報を格納したユーザ情報格納手段を有しているので、ユーザ情報格納手段に格納された情報に基づいて、それぞれのユーザにあったブラジャーを生産することができる。
また、本発明によれば、それぞれのアンダーサイズ及びバージスサイズにフィットするブラジャーを特定する製品識別子を格納した製品情報テーブルを有しているので、製品決定手段は、ユーザのアンダーサイズ及びバージスサイズに基づいて、当該ユーザ用に生産すべきブラジャーを決定することができる。
【図面の簡単な説明】
図１は、ブラジャー生産管理システムの構成を示すブロック図である。
図２は、ユーザ情報ＤＢに格納されたデータの例を示す図である。
図３は、製品情報テーブルに格納されたデータの例を示す図である。
図４は、材料情報テーブルに格納されたデータの例を示す図である。
図５Ａは、在庫情報テーブルに格納されたカップ部のデータの例を示す図、図５Ｂは在庫情報テーブルに格納されたホック部のデータの例を示す図である。
図６は、生産管理システムの動作を示すフローチャートである。
図７Ａ及び図７Ｂともに出力された生産指示書の例を示す図である。
図８は、実施形態にかかる記録媒体の構成図である。
図９は、記録媒体に記録されたプログラムを実行するためのコンピュータのシステム構成図である。
図１０は、記録媒体に記録されたプログラムを実行するためのコンピュータの斜視図である。
【図１】
2002061648.tif 000003
【図２】
2002061648.tif 000004
【図３】
2002061648.tif 000005
【図４】
2002061648.tif 000006
【図５Ａ】
2002061648.tif 000007
【図５Ｂ】
2002061648.tif 000008
【図６】
2002061648.tif 000009
【図７Ａ】
2002061648.tif 000010
【図７Ｂ】
2002061648.tif 000011
【図８】
2002061648.tif 000012
【図９】
2002061648.tif 000013
【図１０】
2002061648.tif 000014
【手続補正書】
【提出日】平成14年7月17日(2002.7.17)
【手続補正１】
【補正対象書類名】明細書
【補正対象項目名】特許請求の範囲
【補正方法】変更
【補正の内容】
【特許請求の範囲】
【請求項１】
ユーザのアンダーサイズ、バージスサイズ及びバストボリュームについての情報をユーザ情報として格納するユーザ情報格納手段と、
それぞれのアンダーサイズ、バージスサイズ及びバストボリュームにフィットするファンデーション下着を特定するための製品識別子を格納した製品情報テーブルと、
前記製品識別子によって識別されるファンデーション下着を構成する部材及び少なくとも一の部材から生産されるパーツについての情報を格納した材料情報テーブルと、
注文者であるユーザを特定するためのユーザ識別子を含む、ファンデーション下着の注文情報を入力する注文情報入力手段と、
前記注文情報入力手段によって入力された注文情報に含まれるユーザ識別子によって特定されるユーザのユーザ情報をユーザ情報格納手段から抽出するユーザ情報抽出手段と、
前記ユーザ情報抽出手段によって抽出されたユーザ情報と前記製品情報テーブルに格納された製品情報に基づいて生産するファンデーション下着を決定し、当該ファンデーション下着の製品識別子を出力する製品決定手段と、
前記製品決定手段から出力された製品識別子によって特定されるファンデーション下着を構成する材料についての情報を前記材料情報テーブルから抽出し、抽出された材料の情報に基づいてファンデーション下着の生産指示書を作成する生産指示書作成手段と、
前記生産指示書作成手段によって作成された生産指示書を出力する生産指示書出力手段と、
を備えることを特徴とするカップ部を有するファンデーション下着生産管理システム。
【請求項２】
前記材料情報テーブルには、カップ部に関する情報が含まれていることを特徴とする請求の範囲第１項に記載のカップ部を有するファンデーション下着生産管理システム。
【請求項３】
削除
【請求項４】
削除
【請求項５】
前記生産指示書作成手段は、前記材料情報テーブルから抽出された材料の情報を列挙し、当該材料の組み立てを指示する生産指示書を作成することを特徴とする請求の範囲第１項又は第２項に記載のカップ部を有するファンデーション下着生産管理システム。
【請求項６】
前記各材料の在庫情報を格納した在庫情報格納手段をさらに備え、
前記生産指示書作成手段は、前記在庫情報格納手段を参照し、在庫が存在しない材料については当該材料の生産指示を生産指示書に含めることを特徴とする請求の範囲第１項、第２項、第５項のいずれか１項に記載のカップ部を有するファンデーション下着生産管理システム。
【請求項７】
前記生産指示書作成手段は、前記注文情報に含まれるユーザ識別子によって特定されるユーザに関する情報を前記生産指示書に含めることを特徴とする請求の範囲第１項、第２項、第５項、第６項のいずれか１項に記載のカップ部を有するファンデーション下着生産管理システム。
【請求項８】
前記注文情報入力手段とネットワークによって接続された注文端末をさらに備え、
前記注文情報を前記注文端末から前記注文情報入力手段に送信して入力させることを特徴とする請求の範囲第１項、第２項、第５〜第７項のいずれか一項に記載のカップ部を有するファンデーション下着生産管理システム。
【請求項９】
それぞれのアンダーサイズ、バージスサイズ及びバストボリュームにフィットするファンデーション下着を特定するための製品識別子を製品情報テーブルに格納させ、前記製品識別子によって識別されるファンデーション下着を構成する部材及び少なくとも一の部材から生産されるパーツについての情報を材料情報テーブルに格納させておき、
ユーザのアンダーサイズ、バージスサイズ及びバストボリュームについての情報をユーザ情報としてユーザ情報格納手段に格納するユーザ情報格納ステップと、
注文者であるユーザを特定するためのユーザ識別子を含む、ファンデーション下着の注文情報を入力する注文情報入力ステップと、
前記注文情報入力ステップにおいて入力された注文情報に含まれるユーザ識別子によって特定されるユーザのユーザ情報をユーザ情報格納手段から抽出するユーザ情報抽出ステップと、
前記ユーザ情報抽出ステップにおいて抽出されたユーザ情報と前記製品情報テーブルに格納された製品情報に基づいて生産するファンデーション下着を決定し、当該ファンデーション下着の製品識別子を出力する製品決定ステップと、
前記製品決定ステップにおいて出力された製品識別子によって特定されるファンデーション下着を構成する材料についての情報を材料情報テーブルから抽出し、抽出された材料の情報に基づいてファンデーション下着の生産指示書を作成する生産指示書作成ステップと、
前記生産指示書作成ステップにおいて作成された生産指示書を出力する生産指示書出力ステップと、
を備えることを特徴とするカップ部を有するファンデーション下着生産管理方法。
【請求項１０】
前記材料情報テーブルには、カップ部に関する情報が含まれていることを特徴とする請求の範囲第９項に記載のカップ部を有するファンデーション下着生産管理方法。
【請求項１１】
削除
【請求項１２】
削除
【請求項１３】
前記生産指示書作成ステップは、前記材料情報テーブルから抽出された材料の情報を列挙し、当該材料の組み立てを指示する生産指示書を作成することを特徴とする請求の範囲第９項又は第１０項に記載のカップ部を有するファンデーション下着生産管理方法。
【請求項１４】
前記各材料の在庫情報を在庫情報格納手段に格納させておき、
前記生産指示書作成ステップは、前記在庫情報格納手段を参照し、在庫が存在しない材料については当該材料の生産指示を生産指示書に含めることを特徴とする請求の範囲第９項、第１０項、第１３項のいずれか１項に記載のカップ部を有するファンデーション下着生産管理方法。
【請求項１５】
前記生産指示書作成ステップは、前記注文情報に含まれるユーザ識別子によって特定されるユーザに関する情報を前記生産指示書に含めることを特徴とする請求の範囲第９項、第１０項、第１３項、第１４項のいずれか一項に記載のカップ部を有するファンデーション下着生産管理方法。
【請求項１６】
カップ部を有するファンデーション下着の生産管理をするために、コンピュータを、
ユーザのアンダーサイズ及びバージスサイズについての情報をユーザ情報として格納するユーザ情報格納手段、
それぞれのアンダーサイズ及びバージスサイズにフィットするファンデーション下着を特定するための製品識別子を含む製品識別情報を格納した製品情報格納手段、
注文者であるユーザを特定するためのユーザ識別子を含む、ファンデーション下着の注文情報を入力する注文情報入力手段、
前記注文情報入力手段によって入力された注文情報に含まれるユーザ識別子によって特定されるユーザのユーザ情報をユーザ情報格納手段から抽出するユーザ情報抽出手段、
前記ユーザ情報抽出手段によって抽出されたユーザ情報と前記製品情報テーブルに格納された製品情報に基づいて生産するファンデーション下着を決定し、当該ファンデーション下着の製品識別子を出力する製品決定手段、
として機能させるプログラムを記録したコンピュータ読み取り可能な記録媒体。
【国際調査報告】
2002061648.tif 000015
2002061648.tif 000016